(57)【要約】医療用アダプタとの接続用キャップは、閉鎖上端と開放下端を有する筐体と、その下端から離れるように筐体から延在する脚部とを備えていてもよい。脚部の内面からは部材が延在し、キャップを医療用アダプタ又は医療用アダプタとはめ合うよう構成されたインサートに係合し固定してもよい。キャップには、キャップを一方向に回転させ、医療用アダプタからキャップが外れないようにする傾斜リッジがキャップ筐体とインサートとの間に設けられてもよく。キャップには、各脚部のカラーの一部が医療用アダプタの周りにはめ合わさるように結合されるまで脚部を互いに向かって回転させることにより、キャップを医療用アダプタに固定させるヒンジ付き脚部を備えていてもよい。
2018521790.tif 000002
【特許請求の範囲】
【請求項１】
医療用アダプタの不正開封防止キャップであって、
（ｉ）閉鎖上端と、（ｉｉ）対向する開放下端と、（ｉｉｉ）前記上端と下端の間の側壁とを有し、前記上端と下端の間に延在する軸を画定する筐体と、
前記下端から離れるように前記筐体から延在する複数の脚部と、
少なくとも一つの脚部の内面から径方向に延在する部材であって、ランプ面と、前記ランプ面に対して横方向に延在する係合面と、前記ランプ面と前記係合面との間を移行する頂部とを備える部材と、
を具備し、
各脚部は、前記筐体の軸に対して径方向に屈曲するよう構成されている、
ことを特徴とする不正開封防止キャップ。
【請求項２】
各径方向に延在する部材間の断面幅は、ポートの外面の断面幅よりも小さいことを特徴とする請求項１に記載の不正開封防止キャップ。
【請求項３】
前記脚部が結合して開口部を画定することを特徴とする請求項１に記載の不正開封防止キャップ。
【請求項４】
前記筐体は、前記上端の第２断面幅よりも大きい第１断面幅を前記下端に有することを特徴とする請求項１に記載の不正開封防止キャップ。
【請求項５】
前記側壁の外面は、前記下端から前記上端へとテーパー状になっていることを特徴とする請求項１に記載の不正開封防止キャップ。
【請求項６】
前記側壁の外面は、前記下端から前記上端へと配置された複数のリブを有することを特徴とする請求項１に記載の不正開封防止キャップ。
【請求項７】
前記部材に隣接した各脚部の一部は、該脚部から横方向に延在するカラー部を画定することを特徴とする請求項１に記載の不正開封防止キャップ。
【請求項８】
各カラー部は円弧を画定することを特徴とする請求項７に記載の不正開封防止キャップ。
【請求項９】
前記脚部の各カラー部は、互いにはめ合わさって、前記複数の脚部が前記下端に向かって枢動すると、前記筐体と同軸上にカラーを形成するよう構成されていることを特徴とする請求項７に記載の不正開封防止キャップ。
【請求項１０】
各カラー部は、各カラー部を互いに接続するよう構成された少なくともラッチとストライクのいずれかを有することを特徴とする請求項７に記載の不正開封防止キャップ。
【請求項１１】
各脚部は、ヒンジを中心に枢動可能であることを特徴とする請求項１に記載の不正開封防止キャップ。
【請求項１２】
前記ヒンジは、リビングヒンジであることを特徴とする請求項１１に記載の不正開封防止キャップ。
【請求項１３】
（ｉ）閉鎖上端と、（ｉｉ）対向する開放下端と、（ｉｉｉ）前記上端と下端の間の側壁とを有し、前記上端と下端の間に延在する軸を画定する筐体と、
前記下端から離れるように前記筐体から延在する複数の脚部であって、その少なくとも一つと前記筐体とで少なくとも一つの窓部が画定される、複数の脚部と、
各窓部の底部から前記上端に向かって延在するタブと、
各タブの内面から径方向に延在する部材と、
を具備し、
各部材は、ランプ面と、前記ランプ面に対して横方向に延在する係合面と、前記ランプ面と前記係合面との間を移行する頂部とを備える、
ことを特徴とする不正開封防止キャップ。
【請求項１４】
前記脚部が結合して開口部を画定することを特徴とする請求項１３に記載の不正開封防止キャップ。
【請求項１５】
前記側壁の外面の一部は、前記上端に向かってテーパー状になっていることを特徴とする請求項１３に記載の不正開封防止キャップ。
【請求項１６】
前記筐体は、前記上端の第２断面幅よりも大きい第１断面幅を前記下端に有することを特徴とする請求項１３に記載の不正開封防止キャップ。
【請求項１７】
前記上端の内面と各部材の前記係合面との間で前記筐体内にはまるよう構成されたインサートをさらに具備し、
前記インサートは、
キャビティを確定する第１端部と、対向する第２端部とを有し、
前記上端の内面と前記第２端部とは、（ｉ）前記インサートが前記上端と各係合面間の距離を移動するよう構成され、（ｉｉ）前記筐体とインサートが係合して一方向に一緒に回転し、反対方向に回転された場合に互いに切り離されるよう構成されていることを特徴とする請求項１に記載の不正開封防止キャップ。
【請求項１８】
前記キャビティの内面は、スレッドを有することを特徴とする請求項１７に記載の不正開封防止キャップ。
【請求項１９】
前記上端の内面と前記第２端部は共に、ラチェットとつめを有することを特徴とする請求項１７に記載の不正開封防止キャップ。
【請求項２０】
前記キャビティは、前記第１端部に向かって延在する突起部を有することを特徴とする請求項１７に記載の不正開封防止キャップ。
【請求項２１】
前記第１端部は、径方向フランジをさらに有することを特徴とする請求項１７に記載の不正開封防止キャップ。
【発明の詳細な説明】
【技術分野】
【０００１】
本開示は、製品、パッケージ又はシステムに、例えば、流体を通すためのポートを用いた製品、パッケージ又はシステムに関し、特に、ポートを有する医療用製品、パッケージ又はシステムの不正開封防止キャップに関するものである。
【背景技術】
【０００２】
医療用流体を保持・搬送するための製品、パッケージ及びシステムには、流体を通すためのアクセスポートを有するものが多い。例えば、ポートは、流体経路に沿って設置されるＩＶバッグ、ボトル又はＹ部位装置に組み込まれていてもよい。医療用流体は、このポートを通って、製品、パッケージ又はシステムへと導入されたり、又はそこから回収されたりしてもよい。同様に、このポートを介して、医療用流体が希釈されたり、改変されたり、汚染されたりする可能性がある。
【発明の概要】
【発明が解決しようとする課題】
【０００３】
医療用流体への不注意による汚染や感染拡大を防止するには、この流体へのポートを介したアクセスを制限することが望ましい。不正な改ざんや不純物混和は、そのポートを介した輸液によって変化し得る医療用流体のレシピエントにとって深刻な脅威である。また、医療用流体の一部を無許可に引き抜くことによっても、レシピエントが不正な量の医療用流体を受けることにつながる。さらに、化学療法に用いられる化合物など、毒性のある医療用流体は、その薬物と接触する人にとって有害となり得る。
【課題を解決するための手段】
【０００４】
本開示の態様によれば、医療用アダプタの不正開封防止キャップが提供される。このキャップは、（ｉ）閉鎖上端と、（ｉｉ）対向する開放下端と、（ｉｉｉ）その上端と下端の間の側壁とを有し、上端と下端の間に延在する軸を画定する筐体と、下端から離れるようにその筐体から延在する複数の脚部と、少なくとも一つの脚部の内面から径方向に延在する部材であって、ランプ面と、そのランプ面に対して横方向に延在する係合面と、ランプ面と係合面との間を移行する頂部とを備える部材とを備え、各脚部は、筐体の軸に対して径方向に屈曲するよう構成されている。
【０００５】
いくつかの例において、各径方向に延在する部材間の断面幅は、ポートの外面の断面幅よりも小さい。いくつかの実施例では、脚部が結合して開口部を画定する。本開示の特定の例では、筐体は、上端の第２断面幅よりも大きい第１断面幅を下端に有する。いくつかの実施例では、側壁の外面は、下端から上端へとテーパー状になっている。いくつかの実施例では、側壁の外面は、下端から上端へと配置された複数のリブを有する。
【０００６】
本開示のいくつかの実施例において、部材に隣接した各脚部の一部は、該脚部から横方向に延在するカラー部を画定する。いくつかの実施例では、各カラー部は円弧を画定する。いくつかの例では、脚部の各カラー部は、互いにはめ合わさって、複数の脚部が下端に向かって枢動すると、筐体と同軸上にカラーを形成するよう構成されている。いくつかの実施例では、各カラー部は、各カラー部を互いに接続するよう構成された少なくともラッチとストライクのいずれかを有する。いくつかの実施例によれば、各脚部は、ヒンジを中心に枢動可能である。いくつかの実施例では、ヒンジは、リビングヒンジである。
【０００７】
本開示の態様によれば、（ｉ）閉鎖上端と、（ｉｉ）対向する開放下端と、（ｉｉｉ）上端と下端の間の側壁とを有し、上端と下端の間に延在する軸を画定する筐体と、下端から離れるように筐体から延在する複数の脚部であって、その少なくとも一つと前記筐体とで少なくとも一つの窓部が画定される、複数の脚部と、各窓部の底部から前記上端に向かって延在するタブと、各タブの内面から径方向に延在する部材とを具備し、各部材は、ランプ面と、このランプ面に対して横方向に延在する係合面と、ランプ面と係合面との間を移行する頂部とを備える、不正開封防止キャップ。
【０００８】
本開示の特定の実施例によれば、脚部が結合して開口部を画定する。いくつかの例では、側壁の外面の一部は、上端に向かってテーパー状になっている。本開示の特定の例では、筐体は、上端の第２断面幅よりも大きい第１断面幅を下端に有する。
【０００９】
いくつかの実施例によれば、上端の内面と各部材の係合面との間で筐体内にはまるよう構成されたインサートをさらに具備し、このインサートは、キャビティを確定する第１端部と、対向する第２端部とを有し、上端の内面と第２端部とは、（ｉ）インサートが上端と各係合面間の距離を移動するよう構成され、（ｉｉ）筐体とインサートが係合して一方向に一緒に回転し、反対方向に回転された場合に互いに切り離されるよう構成されている。
【００１０】
いくつかの例において、キャビティの内面は、スレッドを有する。いくつかの例では、上端の内面と第２端部は共に、ラチェットとつめを有する。いくつかの実施例では、キャビティは、第１端部に向かって延在する突起部を有する。いくつかの実施例によれば、第１端部は、径方向フランジをさらに有する。
【００１１】
本技術のさらなる特徴及び利点は、下記の説明で述べられるが、一部分において当該説明から明らかであり、又は、本技術を実施することによって知ることができる。本技術の利点は、明細書及びその請求項並びに添付の図面で特に指摘される構造によって実現され、達成される。
【００１２】
当然のことながら、前述した概要と以下の詳細な説明はいずれも、例示的かつ説明的であり、請求されている本技術のさらなる説明を提供することを意図するものである。
【００１３】
本技術のさらなる理解を提供するためのものであり、この明細書に組み込まれ、その一部を構成する添付図面は、本技術の態様を説明し、説明と共に本技術の原理を説明する。
【図面の簡単な説明】
【００１４】
【図１】本開示の態様に係る不正開封防止キャップの実施例を示す正面斜視図である。
【図２】図１の不正開封防止キャップを示す断面図である。
【図３】本開示の態様に係るポートが接続された不正開封防止キャップの実施例を示す断面図である。
【図４】本開示の態様に係る不正開封防止キャップの実施例を示す正面図である。
【図５】図４の不正開封防止キャップを示す断面図である。
【図６Ａ】本開示の態様に係る不正開封防止キャップの実施例を示す正面斜視図である。
【図６Ｂ】本開示の態様に係る不正開封防止キャップの実施例を示す正面斜視図である。
【図７】図６Ａ及び図６Ｂの不正開封防止キャップを示す断面図である。
【図８】本開示の態様に係る不正開封防止キャップの実施例を示す正面斜視図である。
【図９】図８の不正開封防止キャップを示す正面図である。
【図１０】本開示の態様に係る不正開封防止キャップの実施例を示す正面斜視図である。
【図１１】図１０の不正開封防止キャップの筐体を示す断面図である。
【図１２】図１０の不正開封防止キャップのインサートを示す正面斜視図である。
【図１３】図１０の不正開封防止キャップを示す断面図である。
【発明を実施するための形態】
【００１５】
以下の詳細な説明では、具体的詳細は、本技術についての十分な理解を与えるために提示される。しかしながら、当業者であれば、これらの具体的詳細のうちのいくつかがなくても、本技術が実施できることは明らかであろう。他の例では、公知の構造及び技術は、本技術を曖昧にしないために、詳細に示されていない。
【００１６】
「態様」などの表現は、このような態様が本技術にとって不可欠なものであること又はこのような態様が本技術のすべての構成に適用されることを意味するものではない。一態様に関連する開示は、すべての構成又は１つ以上の構成に適用されてもよい。一態様は、開示の１つ以上の例を提供してもよい。一態様という表現は、１つ以上の態様を指してもよく、またその逆も同様である。「実施例」などの表現は、このような実施例が本技術にとって不可欠なものであること又はこのような実施例が本技術のすべての構成に適用されることを意味するものではない。一実施形態に関連する開示は、すべての実施例又は１つ以上の実施例に適用されてもよい。一実施例は、開示の１つ以上の例を提供してもよい。一実施例という表現は、１つ以上の実施例を指してもよく、またその逆も同様である。「構成」などの表現は、このような構成が本技術にとって不可欠なものであること又はこのような構成が本技術のすべての構成に適用されることを意味するものではない。一構成に関連する開示は、すべての構成又は１つ以上の構成に適用されてもよい。一構成は、開示の１つ以上の例を提供してもよい。一構成という表現は、１つ以上の構成を指してもよく、またその逆も同様である。
【００１７】
本開示は、アクセスポートを用いた製品、パッケージ又はシステムで使用される不正開封防止キャップに関する。図１は、外部スレッド又はリッジ９０２を有するポート９００に接続されるよう構成された不正開封防止キャップを示す。この不正開封防止キャップは、閉鎖上端１０２と、対向する開放下端１０４を有する筐体１００を備えている。側壁１０６は、その上端１０２と下端１０４の間に延在し、上端１０２と下端１０４の間に延在する軸１０８を中心に円周方向に配置されている。いくつかの実施例では、一つ又は複数の開口が上端１０２を貫通して配置されている。複数の脚部１１０が、下端１０４から離れるようにその筐体１００から延在している。各脚部１１０は、軸１０８に対して屈曲可能である。隣接する脚部１１０間に画定され、その一端が下端１０４に境界される空間により、各脚部は隣接する脚部１１０とは独立して屈曲することが可能となる。少なくとも一つの脚部１１０の内面は、部材１１２を有する。各部材１１２は、脚部１１０の内面から軸１０８に向かって径方向内方に延在する。
【００１８】
図２を参照すると、複数の脚部１１０はそれぞれ、軸１０８に向かって延在する部材１１２を備えている。各部材１１２は、軸１０８に向かって延在するランプ面１１４及び係合面１１６を有する。ランプ面１１４と係合面１１６は、互いに横方向に配向している。ランプ面１１４と係合面１１６間の界面には、頂部１１６が配置されている。好適な実施例では、径方向に延在する対向する部材１１２の頂部１１６間の断面幅は、ポート９０４の外部スレッド又はリッジ９０２の断面幅よりも小さい。
【００１９】
図３を参照すると、不正開封防止キャップとポート９００との接続は、軸１０８がポート９００の開口部９０４と同軸上に位置し、脚部１１０が筐体１００からポート９００に向かって延在するよう、まずは筐体１００とポート９００を位置合わせすることによって行われてもよい。不正開封防止キャップをポート９００に向かって移動させると、ランプ面１１４がポート９００の外部スレッド又はリッジ９０２と接触する。そして、この不正開封防止キャップをポート９００に向かってさらに移動させると、脚部１１０が軸１０８から遠ざかるように径方向に屈曲する。脚部１１０が軸１０８から遠ざかるように径方向に延在すると、不正開封防止キャップを、頂部１１８が外部リッジ又はスレッドを通り過ぎるようにポート９００へとさらに移動させてもよい。頂部１１８が外部リッジ又はスレッドを通り過ぎた後、係合面１１６によって脚部が少なくとも部分的に軸１０８へと戻される。好適な実施例では、係合面１１６は、ポート９００の外部スレッド又はリッジ９０２と係合するが、不正開封防止キャップがポート９００から離れて反対方向に移動された場合に、脚部を軸１０８から径方向外方に屈曲させない。
【００２０】
図４及び図５の実施例を参照すると、不正開封防止キャップは、閉鎖上端２０２と、対向する開放下端２０４と、その上端２０２と下端２０４の間に延在する側壁２０６とを有する筐体２００を備えている。側壁２０６は、上端２０２と下端２０４の間に延在する軸２０８を中心に円周方向に配置されている。この筐体の外面は、下端２０４の第１断面幅と、上端２０２の第２断面幅を有している。好適な実施例では、第１断面幅は、第２断面幅よりも大きい。いくつかの実施例において、側壁２０６の外面は、下端２０４と上端２０２の間に移行ステップ２０７を有する。側壁２０６には、複数のリブ２２２が配置され、下端２０４から上端２０２へと延在している。リブ２２２は、移行ステップ２０７にわたって延在し、下端２０４の第１断面幅から上端２０２の第２断面幅へとテーパー状になっている。いくつかの実施例では、側面２０６の外面は、下端２０４と上端２０２との間でテーパー状になっている。
【００２１】
図５を参照すると、複数の脚部２１０が下端２０４から離れるように筐体２００から延在している。少なくとも一つの脚部２１０の内面には、部材２１２が配置されている。各部材２１２は、脚部２１０から軸２０８に向かって径方向内方に延在する。各部材２１２は、軸２０８に向かって延在するランプ面２１４及び係合面２１６を有する。ランプ面２１４と係合面２１６間の界面には、頂部２１８が配置されている。好適な実施例では、径方向に延在する対向する部材２１２の頂部２１６間の断面幅は、ポート９００の外部スレッド又はリッジ９０２の断面幅よりも小さい。
【００２２】
いくつかの実施例では、筐体２００と脚部２１０によって、各脚部２１０間に空間が画定されることで、各脚部２１０は隣接する脚部２１０とは独立して屈曲することが可能となる。好適な実施例では、筐体２００と脚部２１０によって画定された空間は、開口部２２０である。この開口部２２０によって、不正開封防止キャップは、ポートのすぐ近隣に一様でない領域を有する装置のポートに接続することができる。例えば、開口部２２０によって、不正開封防止キャップは、第１ブランチと第２ブランチを有するＹ部位（図示せず）に接続することができる。このＹ部位の第１ブランチにあるポートに不正開封防止キャップを接続した場合、第２ブランチが開口部２２０を介して延在する。
【００２３】
図６Ａ乃至図７は、閉鎖上端３０２と、対向する開放下端３０４と、その上端３０２と下端３０４の間に延在する側壁３０６とを有する筐体３００を備えた不正開封防止キャップを示す。側壁３０６は、上端３０２と下端３０４の間に延在する軸３０８を中心に円周方向に配置されている。
【００２４】
筐体３００の上端３０２から下端３０４に向かって、複数の脚部３１０が延在している。各脚部は、ヒンジ３３０によって上端３０２に枢動可能に接続されている。このヒンジ３３０によって、各脚部は、図６Ｂに示すように外方に延在することができるよう、軸３０８と平行又はほぼ平行な面に沿って、下端３０４に向かって及びそれから離れるように枢動可能となる。いくつかの実施例では、ヒンジ３３０は、各脚部３１０と上端３０２間にある薄型で柔軟性のあるリビングヒンジである。
【００２５】
部材３１２に隣接する各脚部３１０の一部は、脚部３１０から横方向に延在するカラー部３２４を画定する。各カラー部３２４は、円弧形状を有し、カラー部３２４を有する各脚部３１０が軸３０８に向かって枢動すると、カラーが形成される。このカラー部３２４は、互いにはめ合わさって、筐体３００の軸３０８の周りにカラーを形成するよう構成されている。いくつかの実施例では、カラー部３２４は、各カラー部３２４間のラッチ３２６とストライク３２８によって互いにはめ合わさる。好適な実施例では、各カラー部３２４の合わせ面は、少なくともラッチ３２６とストライク３２８のいずれかを有している。
【００２６】
図７を参照すると、各脚部３１０の内面には、部材３１２が配置されている。各部材３１２は、脚部３１０から軸３０８に向かって径方向内方に延在する。各部材３１２は、軸３０８に向かって延在する係合面３１６と頂部３１６を有する。好適な実施例では、径方向に延在する対向する部材３１２の頂部３１６間の断面幅は、ポート９００の外部スレッド又はリッジ９０２よりも小さい。
【００２７】
図６Ａ乃至図７の不正開封防止キャップとポート９００との接続は、軸３０８がポート９００の開口部９０４と同軸上に位置するよう、まずは筐体３００の下端３０４とポート９００を位置合わせすることによって行うことができる。次に、カラー部３２４がポート９００の外面に隣接し、係合面３１６がポート９００の外部スレッド又はリッジ９０２に隣接するまで脚部３１０を下端３０４に向かって枢動させてもよい。その後、各ラッチ３２６とストライク３２８の組み合わせを係合させることにより、各カラー部３２４を互いに接続してもよい。カラー部３２４を係合させると、係合面３１６がポート９００の外部スレッド又はリッジ９０２に当接するが、不正開封防止キャップがポート９００から離れて反対方向に移動された場合に、脚部を軸３０８から遠ざかるように屈曲させはしない。
【００２８】
図８及び図９を参照すると、不正開封防止キャップは、閉鎖上端４０２と、対向する開放下端４０４と、その上端４０２と下端４０４の間に延在する側壁４０６とを有する筐体４００を備えている。側壁４０６は、上端４０２と下端４０４の間に延在する軸４０８を中心に円周方向に配置されている。この筐体の外面は、下端４０４の第１断面幅と、上端４０２の第２断面幅を有している。好適な実施例では、第１断面幅は、第２断面幅よりも大きい。いくつかの実施例において、側壁４０６の外面の一部は、下端４０４の第１断面幅と上端４０２の第２断面幅との間に移行ステップ４０７を有する。
【００２９】
複数の脚部４１０が下端４０４から離れるように筐体４００から延在している。いくつかの実施例では、筐体４００と少なくとも一つの脚部４１０によって窓部４３２が画定されている。各窓部の端部からは、タブ４３４が上端４０２に向かって延在している。このタブ４３４は、窓部の端部から、上端４０２と対向して延在することが好ましい。各タブ４３４の内面には、部材４１２が配置されている。各部材４１２は、タブ４３４から軸４０８に向かって径方向内方に延在する。各部材４１２は、軸４０８に向かって延在するランプ面４１４及び係合面４１６を有する。ランプ面４１４と係合面４１６間の界面には、頂部４１６が配置されている。好適な実施例では、径方向に延在する対向する部材４１２の頂部４１６間の断面幅は、ポート９００の外部スレッド又はリッジ９０２の断面幅よりも小さい。
【００３０】
いくつかの実施例では、筐体４００と脚部４１０によって、各脚部４１０間に開口部４２０が画定される。この開口部４２０によって、不正開封防止キャップは、ポートのすぐ近隣に一様でない領域を有する装置のポートに接続することができる。例えば、開口部４２０によって、不正開封防止キャップは、第１ブランチと第２ブランチを有するＹ部位（図示せず）に接続することができる。このＹ部位の第１ブランチにあるポートに不正開封防止キャップを接続した場合、第２ブランチが開口部４２０を介して延在する。
【００３１】
いくつかの実施例では、側壁４０６には、複数のリブが配置され、下端４０４から上端４０２へと延在している。リブは、移行ステップ４０７にわたって延在し、下端４０４の第１断面幅から上端４０２の第２断面幅へとテーパー状になっている。いくつかの実施例では、外側の側面４０６は、下端４０４と上端４０２との間でテーパー状になっている。
【００３２】
不正開封防止キャップとポート９００との接続は、軸４０８がポート９００の開口部９０４と一致して同軸上に位置し、脚部４１０が筐体４００からポート９００に向かって延在するよう、まずは筐体４００とポート９００を位置合わせすることによって行われてもよい。不正開封防止キャップをポート９００に向かって移動させると、ランプ面４１４がポート９００の外部スレッド又はリッジ９０２と接触する。そして、この不正開封防止キャップを外部スレッド又はリッジ９０２に向かってさらに移動させると、タブ４３４が軸４０８から遠ざかるように径方向に屈曲する。タブ４３４が軸４０８から遠ざかるように径方向に延在すると、不正開封防止キャップを、頂部４１８が外部スレッド又はリッジ９０２を通り過ぎるようにポート９００へとさらに移動させてもよい。頂部４１８が外部リッジ又はスレッドを通り過ぎた後、係合面４１６によって脚部が少なくとも部分的に軸４０８へと戻される。好適な実施例では、係合面４１６は、ポート９００の外部スレッド又はリッジ９０２と係合するが、不正開封防止キャップがポート９００から離れて反対方向に移動された場合に、脚部を軸４０８から径方向外方に屈曲させない。
【００３３】
図１０乃至図１３は、筐体５００とインサート５５０を備えた不正開封防止キャップを示す。この筐体５００は、閉鎖上端５０２と、対向する開放下端５０４と、その上端５０２と下端５０４の間に延在する側壁５０６とを有する。側壁５０６は、上端５０２と下端５０４の間に延在する軸５０８を中心に円周方向に配置されている。複数の脚部５１０が下端５０４から離れるように筐体５００から延在している。
【００３４】
図１１を参照すると、筐体５００と脚部５１０によって、各脚部５１０間に空間が画定されることで、各脚部５１０は隣接する脚部５１０とは独立して屈曲することが可能となる。各脚部５１０の内面には、部材５１２が配置されている。各部材５１２は、脚部５１０から軸５０８に向かって径方向内方に延在する。各部材５１２は、軸５０８に向かって延在するランプ面５１４及び係合面５１６を有する。ランプ面５１４と係合面５１６間の界面には、頂部５１８が配置されている。筐体５００の上端５０２の内面は、円周方向に連続した傾斜リッジ５３６を有している。
【００３５】
図１２は、第１端部５５２と対向する第２端部５５４を有するインサート５５０を示す。このインサート５５０は、第１端部５５２に配置され、インサート５５０から離れるように径方向に延在するフランジ５５６を画定する。好適な実施例では、対向する部材５１２の頂部５１８間の断面幅は、フランジ５５６の断面幅よりも小さい。
【００３６】
このインサート５５０は、第１端部５５２を通って、部分的に第２端部５５４の内面に向かって延在するキャビティをさらに画定する。いくつかの実施例では、このキャビティの内面は、スレッド面５５８を有する。いくつかの実施例では、第２端部５５４の内面から第１端部５５２に向かって、突起部５６０が延在する。好適な実施例では、この突起部５６０は、第１端部５５２によって画定された面を越えて延在する。第２端部５５２の外面は、円周方向に連続した傾斜リッジ５３８を有する。この第２端部５５２の傾斜リッジ５３８は、上端５０２の傾斜リッジ５３６とは反対の方向に配向している。
【００３７】
図１３を参照すると、筐体５００とインサート５５０とは、筐体５００の脚部５１０とインサート５５０の第２端部５５４とを位置合わせすることにより互いに接続されている。筐体５００をインサート５５０に向かって、そしてその上方へと移動させると、ランプ面５１４がフランジ５５６と接触し、脚部５１０が軸５０８から遠ざかるように径方向に屈曲する。脚部５１０が軸５０８から遠ざかるように径方向に延在すると、筐体５００を、頂部５１８がフランジ５５６を通り過ぎるようにインサート５５０上方をさらに移動させてもよい。それにより、脚部５１０が少なくとも部分的に軸５０８へと戻される。このインサート５５０は、上端５０２の内面と係合面５１６との間で、筐体５００の脚部５１０内に保持される。
【００３８】
インサート５５０の第１端部５５２と第２端部５５４との間の距離は、上端５０２の内面と係合面５１６との間の距離よりも小さいため、インサート５５０は、上端５０２の内面と係合面５１６との間の距離を移動できる。
【００３９】
筐体５００の上端５０２をインサート５５０の第２端部５５４に向かって移動させると、筐体５００の傾斜リッジ５３６がインサート５５０の傾斜リッジ５３８と係合し、それにより、筐体５００とインサート５５０とが一緒に第１方向に回転する。一方、筐体５００を第２端部５５４から離れるように移動させる、又は、反対の第２方向に回転させると、筐体５００の傾斜リッジ５３６がインサート５５０の傾斜リッジ５３８から切り離される。いくつかの実施例では、不正開封防止キャップとポート９００との接続は、まずはインサート５５０をポート９００に取り付けることにより行われる。好適な実施例では、インサート５５０は、突起部５６０がポート９００へと延在するようスレッド５５８によってポート９００に接続される。次に、筐体５００とインサート５５０とが接続され、一体化された筐体５００とインサート５５０が係合して第１方向に回転したり、反対の第２方向に回転された場合には互いに切り離されてもよい。いくつかの実施例では、まずは、筐体５００とインサート５５０とが互いに接続される。次に、インサート５５０のスレッド５５８とポート９００との位置合わせが行われる。そして、傾斜リッジ５３６、５３８が互いに係合し、筐体５００とインサート５５０とが第１方向に回転するよう筐体５００をインサート５５０に向かって移動させ、それにより筐体５００とインサート５５０とをポート９００に接続する。
【００４０】
上記説明は、当業者が本明細書に記載されている様々な態様を実践できるようにするために提供されたものである。本技術は様々な図及び態様に関連して詳細に記載されているが、これらは例示のみを目的としたものであり、本技術の範囲を制限するものと解釈してはならないことを理解されたい。
【００４１】
本技術を実現するには他の多くの方法が存在する可能性がある。本明細書に記載されている様々な機能及び要素は、本技術の範囲を逸脱せずに、示されているものとは異なる区分にすることができる。これらの形態に対する様々な変更は当業者にとって容易に明らかになり、本明細書に定義された一般原理は他の形態に適用することができる。従って、本技術の範囲を逸脱せずに、当業者により、本技術に対して多くの変更及び修正を行うことができる。
【００４２】
本明細書で使用するように、一連の項目に先行して、それらの項目のいずれかを分離するために「及び」や「又は」という用語が付いている「のうちの少なくとも一つ」という語句は、そのリストのそれぞれの構成要素（即ち、それぞれの項目）ではなく、全体としてそのリストを修飾するものである。「のうちの少なくとも一つ」という語句は、リストされているそれぞれの項目のうちの少なくとも一つの選択を要求するものではなく、むしろ、この語句は、それらの項目のうちのいずれか一つのうちの少なくとも一つ、及び／又はそれらの項目の任意の組み合わせのうちの少なくとも一つ、及び／又はそれらの項目のそれぞれのうちの少なくとも一つを含むという意味を可能にするものである。一例として、「Ａ、Ｂ、及びＣのうちの少なくとも一つ」又は「Ａ、Ｂ、又はＣのうちの少なくとも一つ」はいずれも、Ａのみ、Ｂのみ、又はＣのみ、Ａ、Ｂ、及びＣの任意の組み合わせ、及び／又はＡ、Ｂ、及びＣのそれぞれのうちの少なくとも１つを指す。
【００４３】
さらに、「含む」、「有する」等の用語が詳細な説明や請求項で使用される限りにおいては、このような用語は、「含んで構成される」という用語が請求項で暫定的な言葉として使用された場合に解釈されるのと同じように、包括的であることを意図している。本明細書で使用される「例示的な」という用語は、「例、事例、又は実例としての役割を果たす」ということを意味する。本明細書で「例示的な」として説明された実施例はいずれも、必ずしも他の実施例よりも好ましい、又は有利であると理解されるとは限らない。
【００４４】
単数形の要素に対する言及は、特に明記されていない限り、「唯一のもの」を意味するものではなく、むしろ、「１つ以上」を意味するものである。「いくつかの」という用語は１つ以上を指す。当業者によって知られた、又は後に知られるようになる本開示に記載された様々な構成要素のすべての構造的及び機能的な均等物は、参照により本明細書に明確に組み込まれ、本技術により包含される。さらに、その開示が上記の説明に明確に記載されているか否かに関わらず、本明細書に開示されたすべての事項は発明の開放を目的としていない。
【００４５】
本技術の特定の態様及び実施例を説明してきたが、これらの実施例は、ほんの一例として示されたものであって、本技術の範囲を制限することを意図したものではない。実際には、本明細書に記載の新規な方法及びシステムは、本開示の精神から逸脱することなく、他のさまざまな形態で具体化されることができる。また、添付の特許請求の範囲およびそれらの均等物は、本技術の範囲および主旨に含まれるような形態や変更を包含することを意図している。
【図１】
2018521790.tif 000003
【図２】
2018521790.tif 000004
【図３】
2018521790.tif 000005
【図４】
2018521790.tif 000006
【図５】
2018521790.tif 000007
【図６Ａ】
2018521790.tif 000008
【図６Ｂ】
2018521790.tif 000009
【図７】
2018521790.tif 000010
【図８】
2018521790.tif 000011
【図９】
2018521790.tif 000012
【図１０】
2018521790.tif 000013
【図１１】
2018521790.tif 000014
【図１２】
2018521790.tif 000015
【図１３】
2018521790.tif 000016
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
医療用アダプタの不正開封防止キャップであって、
（ｉ）開口を備える閉鎖上端と、（ｉｉ）対向する開放下端と、（ｉｉｉ）前記上端と下端の間の側壁とを有し、前記上端と下端の間に延在する軸を画定する筐体と、
前記下端から離れるように前記筐体から延在する複数の脚部と、
前記軸周りに、前記上端を貫通する前記開口に沿う少なくとも一つの脚部の内面から径方向に延在する部材であって、ランプ面と、前記ランプ面に対して横方向に延在する係合面と、前記ランプ面と前記係合面との間を移行する頂部とを備える部材と、
を具備し、
各脚部は、前記筐体の軸に対して径方向に屈曲するよう構成されている、
ことを特徴とする不正開封防止キャップ。
【請求項２】
各径方向に延在する部材間の断面幅は、ポートの外面の断面幅よりも小さいことを特徴とする請求項１に記載の不正開封防止キャップ。
【請求項３】
前記脚部が結合して開口部を画定することを特徴とする請求項１に記載の不正開封防止キャップ。
【請求項４】
前記筐体は、前記上端の第２断面幅よりも大きい第１断面幅を前記下端に有することを特徴とする請求項１に記載の不正開封防止キャップ。
【請求項５】
前記側壁の外面は、前記下端から前記上端へとテーパー状になっていることを特徴とする請求項１に記載の不正開封防止キャップ。
【請求項６】
前記側壁の外面は、前記下端から前記上端へと配置された複数のリブを有することを特徴とする請求項１に記載の不正開封防止キャップ。
【請求項７】
前記部材に隣接した各脚部の一部は、該脚部から横方向に延在するカラー部を画定することを特徴とする請求項１に記載の不正開封防止キャップ。
【請求項８】
各カラー部は円弧を画定することを特徴とする請求項７に記載の不正開封防止キャップ。
【請求項９】
前記脚部の各カラー部は、互いにはめ合わさって、前記複数の脚部が前記下端に向かって枢動すると、前記筐体と同軸上にカラーを形成するよう構成されていることを特徴とする請求項７に記載の不正開封防止キャップ。
【請求項１０】
各カラー部は、各カラー部を互いに接続するよう構成された少なくともラッチとストライクのいずれかを有することを特徴とする請求項７に記載の不正開封防止キャップ。
【請求項１１】
各脚部は、ヒンジを中心に枢動可能であることを特徴とする請求項１に記載の不正開封防止キャップ。
【請求項１２】
前記ヒンジは、リビングヒンジであることを特徴とする請求項１１に記載の不正開封防止キャップ。
【請求項１３】
（ｉ）閉鎖上端と、（ｉｉ）対向する開放下端と、（ｉｉｉ）前記上端と下端の間の側壁とを有し、前記上端と下端の間に延在する軸を画定する筐体と、
前記下端から離れるように前記筐体から延在する複数の脚部であって、その少なくとも一つと前記筐体とで少なくとも一つの窓部が画定される、複数の脚部と、
各窓部の底部から前記上端に向かって延在するタブと、
各タブの内面から径方向に延在する部材と、
を具備し、
各部材は、ランプ面と、前記ランプ面に対して横方向に延在する係合面と、前記ランプ面と前記係合面との間を移行する頂部とを備える、
ことを特徴とする不正開封防止キャップ。
【請求項１４】
前記脚部が結合して開口部を画定することを特徴とする請求項１３に記載の不正開封防止キャップ。
【請求項１５】
前記側壁の外面の一部は、前記上端に向かってテーパー状になっていることを特徴とする請求項１３に記載の不正開封防止キャップ。
【請求項１６】
前記筐体は、前記上端の第２断面幅よりも大きい第１断面幅を前記下端に有することを特徴とする請求項１３に記載の不正開封防止キャップ。
【請求項１７】
前記上端の内面と各部材の前記係合面との間で前記筐体内にはまるよう構成されたインサートをさらに具備し、
前記インサートは、
キャビティを確定する第１端部と、対向する第２端部とを有し、
前記上端の内面と前記第２端部とは、（ｉ）前記インサートが前記上端と各係合面間の距離を移動するよう構成され、（ｉｉ）前記筐体とインサートが係合して一方向に一緒に回転し、反対方向に回転された場合に互いに切り離されるよう構成されていることを特徴とする請求項１に記載の不正開封防止キャップ。
【請求項１８】
前記キャビティの内面は、スレッドを有することを特徴とする請求項１７に記載の不正開封防止キャップ。
【請求項１９】
前記上端の内面と前記第２端部は共に、ラチェットとつめを有することを特徴とする請求項１７に記載の不正開封防止キャップ。
【請求項２０】
前記キャビティは、前記第１端部に向かって延在する突起部を有することを特徴とする請求項１７に記載の不正開封防止キャップ。
【請求項２１】
前記第１端部は、径方向フランジをさらに有することを特徴とする請求項１７に記載の不正開封防止キャップ。
【手続補正２】
【補正対象書類名】明細書
【補正対象項目名】００１８
【補正方法】変更
【補正の内容】
【００１８】
図２を参照すると、複数の脚部１１０はそれぞれ、軸１０８に向かって延在する部材１１２を備えている。各部材１１２は、軸１０８に向かって延在するランプ面１１４及び係合面１１６を有する。ランプ面１１４と係合面１１６は、互いに横方向に配向している。ランプ面１１４と係合面１１６間の界面には、頂部１１６が配置されている。好適な実施例では、径方向に延在する対向する部材１１２の頂部１１８間の断面幅は、ポート９０４の外部スレッド又はリッジ９０２の断面幅よりも小さい。
【手続補正３】
【補正対象書類名】明細書
【補正対象項目名】００２１
【補正方法】変更
【補正の内容】
【００２１】
図５を参照すると、複数の脚部２１０が下端２０４から離れるように筐体２００から延在している。少なくとも一つの脚部２１０の内面には、部材２１２が配置されている。各部材２１２は、脚部２１０から軸２０８に向かって径方向内方に延在する。各部材２１２は、軸２０８に向かって延在するランプ面２１４及び係合面２１６を有する。ランプ面２１４と係合面２１６間の界面には、頂部２１８が配置されている。好適な実施例では、径方向に延在する対向する部材２１２の頂部２１８間の断面幅は、ポート９００の外部スレッド又はリッジ９０２の断面幅よりも小さい。
【手続補正４】
【補正対象書類名】明細書
【補正対象項目名】００２６
【補正方法】変更
【補正の内容】
【００２６】
図７を参照すると、各脚部３１０の内面には、部材３１２が配置されている。各部材３１２は、脚部３１０から軸３０８に向かって径方向内方に延在する。各部材３１２は、軸３０８に向かって延在する係合面３１６と頂部３１８を有する。好適な実施例では、径方向に延在する対向する部材３１２の頂部３１８間の断面幅は、ポート９００の外部スレッド又はリッジ９０２よりも小さい。
【手続補正５】
【補正対象書類名】明細書
【補正対象項目名】００２９
【補正方法】変更
【補正の内容】
【００２９】
複数の脚部４１０が下端４０４から離れるように筐体４００から延在している。いくつかの実施例では、筐体４００と少なくとも一つの脚部４１０によって窓部４３２が画定されている。各窓部の端部からは、タブ４３４が上端４０２に向かって延在している。このタブ４３４は、窓部の端部から、上端４０２と対向して延在することが好ましい。各タブ４３４の内面には、部材４１２が配置されている。各部材４１２は、タブ４３４から軸４０８に向かって径方向内方に延在する。各部材４１２は、軸４０８に向かって延在するランプ面４１４及び係合面４１６を有する。ランプ面４１４と係合面４１６間の界面には、頂部４１８が配置されている。好適な実施例では、径方向に延在する対向する部材４１２の頂部４１６間の断面幅は、ポート９００の外部スレッド又はリッジ９０２の断面幅よりも小さい。
【国際調査報告】
2018521790.tif 000017
2018521790.tif 000018
2018521790.tif 000019
2018521790.tif 000020